(57)【要約】【課題】少ない費用で水もしくは空気を導く部品の殺菌が可能である、家庭用器具を提供する。【解決手段】個々の構造部品から形成される、空気および／または水を導く装置を有し、装置の内部に洗濯用灰汁および／またはガス流を導くことができる家庭用器具であり、少なくとも１つの構造部品が少なくとも部分的に洗浄液を導く領域に向けられた表面で抗菌性または殺菌性に被覆されているおよび／またはこの表面が抗菌性または殺菌性にドーピングされている。【選択図】なし【特許請求の範囲】
【請求項１】
個々の構造部品から形成される、空気および／または水を導く装置を有し、装置の内部に洗濯用灰汁、ガス流等を導くことができる、家庭用器具、特に洗濯物乾燥機または洗濯機において、少なくとも１つの構造部品が少なくとも部分的に空気および／または水を導く領域に向けられた表面で抗菌性または殺菌性に被覆されているおよび／またはこの表面が抗菌性または殺菌性にドーピングされていることを特徴とする家庭用器具。
【請求項２】
表面が有機および／または無機殺菌性または抗菌性作用する物質で被覆されているおよび／またはドーピングされている請求項１記載の家庭用器具。
【請求項３】
被覆が、少なくとも部分的に抗菌性および／または殺菌性作用を有するガラス部分および／またはガラスフリットを有する請求項１または２記載の家庭用器具。
【請求項４】
構造部品が少なくとも部分的にプラスチック部品から形成され、このプラスチック部品の材料に抗菌性または殺菌性作用する物質、特にガラス粉末が添加されている請求項１から３までのいずれか１項記載の家庭用器具。
【請求項５】
ガラスフリットもしくはガラス粉末が少なくとも部分的にＡｇ、Ｃｕおよび／またはＺｎがドーピングされた珪酸塩ガラス、燐酸塩ガラスまたはホウ珪酸ガラスから形成されている請求項３または４記載の家庭用器具。
【請求項６】
構造部品が少なくとも部分的にＡｇ、Ｃｕおよび／またはＺｎがドーピングされた珪酸塩、燐酸塩またはホウ珪酸から形成されている請求項１から５までのいずれか１項記載の家庭用器具。
【請求項７】
構造部品が被覆材料としてまたはドーピング物質として少なくとも部分的に銀が充填されたゼオライトを有する請求項１から６までのいずれか１項記載の家庭用器具。
【請求項８】
表面に被覆された層またはドーピングされた表面領域が０.５〜１０質量％の抗菌性または殺菌性作用物質の濃度を有する請求項１から７までのいずれか１項記載の家庭用器具。
【発明の詳細な説明】
【技術分野】
【０００１】
本発明は、個々の構造部品から形成される、空気および／または水を導く装置を有し、装置の内部に洗濯用灰汁、ガス流等を導くことができる、家庭用器具、特に洗濯物乾燥機または洗濯機に関する。
【０００２】
本発明は更に、個々の構造部品から形成される、空気を導く装置を有し、装置の内部に乾燥した空気を導くことができる洗濯物乾燥機に関する。
【背景技術】
【０００３】
洗濯機および／または洗濯物乾燥機は、現在、特にエネルギーを節約する洗浄および乾燥プログラムを有することにより特に際立っている。これは特に処理温度の低下により達成される。従って例えば３０℃〜４０℃の洗浄温度が一般的であり、この温度は利用できる洗剤と結合して適当な良好な洗浄結果を示すが、この低い温度で洗濯物がバクテリアで汚染されることが避けられず、バクテリアは、特に所定の構造部品、例えばホースまたはフィルターの配量装置に存在し、ここで著しく増加することがある。洗濯物を最適に換気されていない地下室または屋根裏部屋で乾燥する場合に、これらのバクテリアは、乾燥する際に洗濯物がかび臭いにおいを生じる原因である。戸外で洗濯物を乾燥する際にこれらのバクテリアは日光のＵＶ線の漂白作用により広い範囲で殺されるが、これは洗濯物のにおいに有利に作用することができる。漂白剤添加物を有する洗剤もこれに有利に影響を及ぼすことができる。しかし漂白作用は典型的に５０〜６０℃より高い温度ではじめて開始し、特に低温洗浄工程の場合に必要な殺菌作用が起こらない。
【０００４】
他方で洗濯物のバクテリアの汚染を回避するために、循環する洗浄液およびすすぎ液が循環式湯沸かし器中でＵＶ線源にさらされる洗濯機が提案される（特許文献１参照）。洗濯機または乾燥機中の洗濯物を漂白し、殺菌するために、洗濯もしくは乾燥工程の後の洗濯物を強力な紫外線にさらすことが提案される（特許文献２参照）。この種の構造においてはＵＶ線が高いエネルギーの需要を結果として伴い、ランプの交換が高い費用と結びつくことが欠点である。更に一般に前記使用は全部の構造のかなりの構造的変化と結びつき、このことが付加的な開発費用を生じる。
【特許文献１】ドイツ特許第４３４２０４９号
【特許文献２】ドイツ特許第２１１００６３号
【発明の開示】
【発明が解決しようとする課題】
【０００５】
本発明の課題は、少ない費用で水もしくは空気を導く部品の殺菌が可能である、冒頭に記載の形式の洗濯機もしくは洗濯物乾燥機を提供することである。
【課題を解決するための手段】
【０００６】
前記課題は、洗濯機において、構造部品の少なくとも１つが少なくとも部分的に空気および／または水を導く領域に向けられた表面で抗菌性または殺菌性に被覆されているおよび／またはこれらの表面が抗菌性または殺菌性にドーピングされていることにより解決される。
【０００７】
被覆されたまたはドーピングされた構造部品はバクテリアの成長の強力な阻止を可能にし、またはバクテリアの成長を完全に防ぐ。これにより更に洗濯物の汚染を阻止するかまたは完全に防ぐことができる。殺菌作用もしくは抗菌作用は付加的なエネルギー源（電流、ＵＶ線等）に関係なく維持することができる。本発明は有利なやり方で既存の構造に組み込むことができる。構造部品はその幾何学的形状を変えなくてよいかまたはわずかに変化するだけでよい。
【０００８】
洗濯機において、例えば以下の構造部品の１個以上を本発明により備えることができる：
洗剤配量容器
洗剤容器と洗濯槽の間の供給管
ホース
洗浄液ポンプ
洗浄液ポンプカバー
毛くずの濾過器
洗濯槽
洗浄容器（ドラム容器）
ドアシーリング。
【０００９】
これらは洗濯水または洗浄用灰汁と接触する構造部品である。
【００１０】
洗濯物乾燥機において本発明は、例えばプラスチックドラムの形成および／または空気の供給または空気を導く装置の部品に使用することができる。
【００１１】
本発明の１つの可能な実施態様により、表面が少なくとも部分的に被膜で覆われ、前記被膜が抗菌性または殺菌性作用を示すことが考慮されていてもよい。
【００１２】
表面被膜は粉末塗料被覆によりスクリーン印刷法または塗装法により製造することができる。
【００１３】
本発明の１つの可能な実施態様は、構造部品が少なくとも部分的にプラスチック部品から形成され、このプラスチック部品の材料に抗菌性または殺菌性作用する物質、特にガラス粉末が添加されていることを考慮する。
【００１４】
ガラス粉末が少なくとも部分的にＡｇ、Ｃｕおよび／またはＺｎがドーピングされた珪酸塩ガラス、燐酸塩ガラスまたはホウ珪酸ガラスから形成されている場合が有利である。ガラス組成物は、特に抗菌性または殺菌性であることが適用される。
【００１５】
プラスチック材料はすでに未加工状態で相当して物質と混合し、所望の構造部品に成形することができる。成形のために、すべての公知の方法、例えば射出成形、プレス、押出等が使用できる。
【００１６】
構造部品が少なくとも部分的にＡｇ、Ｃｕおよび／またはＺｎがドーピングされた珪酸塩ガラス、燐酸塩ガラスまたはホウ珪酸ガラスから形成されているように家庭用器具を形成することも考慮できる。ガラス材料はバクテリアを形成する物質の付着を困難にするきわめて滑らかな表面を形成する。更にバクテリアの形成が前記材料のドーピングにより阻止されるかまたは少なくとも明らかに減少する。
【００１７】
本発明の他の実施態様は、構造部品が、銀が充填されたゼオライトを含有することであってもよい。銀が充填されたゼオライトは有効なＡｇ＋イオンをかなり遅く放出する。従って構造部品の抗菌作用が長く保持される。
【００１８】
無機殺菌性または抗菌性作用物質の使用のほかに有機殺菌性または抗菌性作用物質の使用も考慮される。例えば作用物質トリクロサン（Ｃｉｂａ  Ｇｅｉｇｙ社）をプラスチック部品のドーピング物質として使用することができる。
【００１９】
表面に被覆された層またはドーピングされた表面領域が０.５〜１０質量％の濃度の抗菌性または殺菌性作用物質を有することが考慮される場合に、良好なバクテリア阻害作用が達成される。
【００２０】
本発明を使用する場合に食品の需要の規則および物品の規則を守らなくてもよいので。有利に３質量％より大きい有効な割合を使用することができる。
【００２１】
本発明は、例えば使用中にバクテリアの汚染が生じることがある集塵機の構造部品、過熱蒸気装置等中にも使用することができる。